Podtech/llm-jp-corpus-v4-ja_patent huggingface dataset:
(57)【要約】      （修正有）【課題】工事を必要としないので、専門家に依頼せずとも容易に照明の自動点滅化ができます。また門灯や玄関灯だけでなく居間等に利用すれば留守でも夜に照明が灯って防犯にも役立つ自動点滅器内蔵の蛍光管又は電球及び電球のアダプターを提供する。【解決手段】明かりの源、蛍光管および電球に自動点滅器を内蔵させる。【選択図】図３
0003110896.tif 000002
【実用新案登録請求の範囲】
【請求項１】
太陽光式、太陽電池式又はタイマ−式等の自動点滅器を内蔵した蛍光管
【請求項２】
太陽光式、太陽電池式又はタイマ−式等の自動点滅器を内蔵した電球
【請求項３】
電球とソケットの間に挿入するアダプタ−で、太陽光式、太陽電池式又はタイマ−式等の自動点滅器を内蔵したアダプタ−器具。
【考案の詳細な説明】
【技術分野】
【０００１】  本考案は付帯工事を施工せずに照明を自動点滅させる、蛍光管又は電球にかんするものである。
【背景技術】
【０００２】  照明を自動点滅させるものに、太陽光式自動点滅器又はタイマ−式自動点滅器等が数多くありますが、どれも独立した器具です。従って照明を自動的に点滅させるには照明器具と自動点滅器を組み合わせて配線工事をする必要があります。
【考案の開示】
【考案が解決しようとする課題】
【０００３】  通常家庭の門灯や玄関灯は手動のスイッチで点灯、消灯を繰り返し、その労力や気配りはかなり大変なものです。又これを自動化するには自動点滅器を別付けにし、電源と照明器具、自動点滅器を結ぶ配線工事が必要で、これも費用、見栄えなどからみてかなり厄介なものです。これらの欠点を自動点滅内蔵の蛍光管、電球で一挙に解決しようとするものです。
【課題を解決するための手段】
【０００４】  蛍光管は自動点滅装置の大きさ分だけ管球を短くして一体成型します。電球はグロ−ブとソケットの間に点滅装置を取り付けます。アダプタ−はアダプタ−其の物が自動点滅器で、電球を交換せずそのまま自動点滅になります。
【考案の効果】
【０００５】  上述の様に、工事を必要としないので、専門家に依頼せずとも容易に照明の自動点滅化ができます。また門灯や玄関灯だけでなく居間等に利用すれば留守でも夜に照明が灯って防犯にも役立ちます。
【考案を実施するための最良の形態】
【０００６】  蛍光管の場合は縦方向に光が出にくいので、管の長さを少し短くしてその部分に太陽光式自動点滅器を付けられます。又タイマ−式自動点滅器でも良く、いずれの場合も点滅器を働かせる電源が必要でこれには太陽電池、乾電池などが利用できますが、簡単な方法としてグロ−スタ−タ−の端子を抵抗で短絡し電源を供給することが出来ます。ただしこの場合、蛍光管の放電に影響のない抵抗値とします。また蛍光管とグロ−スタ−タ−はセットで販売します。電球及び電球アダプタ−の場合は、タイマ−式にする方が良いと思います。３時間型、５時間型、１０時間型のように、始めから決めた時間の物にするが、時間を切り替えできるスイッチ付きの物にします。いずれも電源を入れてから時を刻む、２４時間式タイマ−にし、一度スタ−トしたら毎日この時間を繰り返すものとします。点灯時間が狂ってきたり、四季によって点灯時間を変えたい場合は、一度電源を切って点灯したい時間に再スタ−トします。
【実施例】
【０００７】  以下、添付図面に従って説明します。図１は自動点滅器内蔵の蛍光管の配線図で１は蛍光管で２は自動点滅器です。３はグロ−ランプで抵抗が付いてます。４のソケット、５の安定器は既存の器具の物です。６はサ−マルリレ−で、７はタイマ−です。そして図３の１のような外観になります。【０００８】  図２は自動点滅器付きの電球及びアダプタ−の配線図で、１ａはランプ、２は自動点滅器、４はソケット、６はサ−マルリレ−、７はタイマ−で、図３の１ａの様な外観になります。【０００９】  図３は外観図で、上述した様に、１は自動点滅器内蔵の蛍光管で、１ａは自動点滅内蔵の電球です。１ｂは電球用アダプタ−でアダプタ−の４は雄ネジのソケットで、８は電球を挿入する雌ネジのソケットです。２は自動点滅器が入っている部分です。
【図面の簡単な説明】
【００１０】
【図１】自動点滅器を内臓した蛍光管の配線図
【図２】自動点滅器を内蔵した電球の配線図
【図３】自動点滅器を内臓した、蛍光管、電球、アダプタ−の外観図
【符号の説明】
【００１１】  １    蛍光管
１ａ  電球
１ｂ  アダプタ−本体
２    自動点滅器
３    グロ−ランプ
４    ソケット
５    蛍光器具の安定器
６    サ−マルリレ−
７    タイマ−
８    雌ネジの電球用ソケット
【図１】
0003110896.tif 000003
【図２】
0003110896.tif 000004
【図３】
0003110896.tif 000005
(57)【要約】【課題】使用者の希望の通りに、事務用椅子を旋回でき又は旋回できない状態に調整することが可能になる。【解決手段】座当に取付ける固定台の底側には、支持台の中心にある支持ロッドの上端の嵌合部と嵌合するためのスリーブが設けてあり、前記スリーブの外周には螺旋段を有する接続部が設けてあり、止め構造のねじ軸が前記接続部にねじ込まれる。前記スリーブの壁面には前記ねじ軸の裏端を挿通するための貫通孔が開設してあり、支持ロッドの嵌合部には多数の溝が設けてあり、支持ロッドには嵌合部に対応する軸受けが取付けてあることを特徴とする椅子座当の旋回構造を提供する。【選択図】  図１
0003110833.tif 000002
【実用新案登録請求の範囲】
【請求項１】
座当に取付ける固定台の底側には、支持台の中心にある支持ロッドの上端の嵌合部と嵌合するためのスリーブが設けてあり、前記スリーブの外周には螺旋段を有する接続部が設けてあり、止め構造のねじ軸が前記接続部にねじ込まれ、また、前記スリーブの壁面には前記ねじ軸の裏端を挿通するための貫通孔が開設してあり、支持ロッドの嵌合部には多数の溝が設けてあり、また、支持ロッドには嵌合部に対応する軸受けが取付けてあることを特徴とする、
椅子座当の旋回構造。
【考案の詳細な説明】
【技術分野】
【０００１】
本考案は、事務用椅子の構造に係り、特に、使用者の希望の通りに、事務用椅子を旋回でき又は旋回できない状態に調整することが可能な事務用椅子の構造に関するものである。
【背景技術】
【０００２】
現代の社会では、事務をするための高層ビルが多くなる一方であり、このような高層ビルのなかには事務用家具が必要品になり、事務用家具は、昔の木造家具から、近代の鉄製品に変わって、最近、人間工学に合うものも市販しており、事務用椅子の底部にはローラが取付けられたので、事務用椅子の移動が極めて便利になり、したがって、事務用椅子は事務室から学校やパソコン教室などの場所に応用される。
【０００３】
一般の事務用椅子は、座当の側に背当が設けてあり、且つ座当の下面には支持ロッドが旋回自在に枢着してあり、前記支持ロッドの下端にはローラが取付けられた支持台が設けてあり、したがって、使用者はローラ又は座当に枢着された支持ロッドによって旋回することができる。
【考案の開示】
【考案が解決しようとする課題】
【０００４】
しかしながら、従来の事務用椅子は次のような欠点があった。
（１）座当の下面には支持ロッドが旋回自在に枢着してあるが、子供がこの構造によって座当を任意に旋回すると、危険性があり、且つ事務用椅子は損壊し易く、また、上記旋回構造を欲しくない使用者もいる。
【０００５】
（２）子供が従来の事務用椅子に登っているときに、上記旋回構造の旋回による危険性が高かった。
【課題を解決するための手段】
【０００６】
上記欠点を解決するためになされた本願の考案は、座当に取付ける固定台の底側には、支持台の中心にある支持ロッドの上端の嵌合部と嵌合するためのスリーブが設けてあり、前記スリーブの外周には螺旋段を有する接続部が設けてあり、止め構造のねじ軸が前記接続部にねじ込まれ、また、前記スリーブの壁面には前記ねじ軸の裏端を挿通するための貫通孔が開設してあり、支持ロッドの嵌合部には多数の溝が設けてあり、また、支持ロッドには嵌合部に対応する軸受けが取付けてあることを特徴とする椅子座当の旋回構造であることを要旨としている。
【考案の効果】
【０００７】
本考案に係る事務用椅子の構造によれば、次のような効果がある。
（１）支持ロッドの接続部の下には軸受けが設けてあるので、固定台にあるスリーブに支持ロッドを嵌合した後、座当の旋回摩擦力が低くなり、座当の旋回は順調になる。
【０００８】
（２）止め構造と、接続部にある溝との合いにより、使用者の希望の通りに、事務用椅子を旋回でき又は旋回できない状態に調整することが可能になる。
【考案を実施するための最良の形態】
【０００９】
以下、添付図面を参照して本考案の好適な実施の形態を詳細に説明する。
【実施例１】
【００１０】
まず、図１乃至図３を参照する。本考案に係る事務用椅子の構造は、座当に取付ける固定台１の底側には、支持台の中心にある支持ロッド２の上端の嵌合部２１と嵌合するためのスリーブ１１が設けてあり、嵌合部２１の外径がスリーブ１１の内径よりもやや小さいので、嵌合部２１をスリーブ１１内に設置した後に両者が接触しない状態になる。
嵌合部２１の周面には多数の溝２１１が縦方向に設けてあり、支持ロッド２には軸受け２２が取付けてあって前記軸受け２２が嵌合部２１の下面に当接している。
前記スリーブ１１の外周には螺旋段１２１を有する接続部１２が設けてあり、前記スリーブ１１の壁面には貫通孔１３が開設してあり、接続部１２に応じて止め構造３が設けてある。
前記止め構造３には接続部１２にある螺旋段１２１にねじ込まれるねじ軸３１が設けてあり、且つ前記ねじ軸３１が貫通孔１３を挿通する。
【００１１】
図２を参照すると、平常時には、止め構造３にあるねじ軸３１が支持ロッド２にある溝２１１内に延びないので、座当の下面にある固定台１は、スリーブ１１と、支持ロッド２の上端にある軸受け２２との合いにより、旋回自在である。
【００１２】
図３と図４を参照すると、支持ロッド２に対して座当を旋回しない場合には、止め構造３を回転させてねじ軸３１を支持ロッド２にある接続部２１の何れか一つの溝２１１内に延びることにより、座当は支持ロッド２に対して旋回できなくなる。
【図面の簡単な説明】
【００１３】
【図１】本考案の分解斜視図である。
【図２】本考案を座当に取付ける前の上面断面図である。
【図３】本考案を座当に取付ける時の側面断面図である。
【図４】座当に取付けた本考案の上面断面図である。
【符号の説明】
【００１４】
１        固定台                  １１      スリーブ
１２      接続部                  １２１    螺旋段
１３      貫通孔                  ２        支持ロッド
２１      嵌合部                  ２１１    溝
２２      軸受け                  ３        止め構造
３１      ねじ軸
【図１】
0003110833.tif 000003
【図２】
0003110833.tif 000004
【図３】
0003110833.tif 000005
【図４】
0003110833.tif 000006
(57)【要約】【課題】  歯の損傷を防止し、併せて子供や老弱者たちが容易に歯磨きができるようにした上下齒磨きが容易にできるＴ字形歯ブラシを提供する。【解決手段】  先端が湾曲した歯ブラシ柄（１）の該先端に、歯ブラシ毛（２）が植毛されたブラシ体（３）を、歯ブラシ面（４）が歯ブラシ柄（１）と“Ｔ”字形になるように交着成形してなることを特徴とする上下歯磨きが容易にできるＴ字形歯ブラシである。 【選択図】  図１
0003110471.tif 000002
【実用新案登録請求の範囲】
【請求項１】
先端が湾曲した歯ブラシ柄（１）の該先端に、歯ブラシ毛（２）が植毛されたブラシ体（３）を、歯ブラシ面（４）が歯ブラシ柄（１）と“Ｔ”字形になるように交着成形してなることを特徴とする上下歯磨きが容易にできるＴ字形歯ブラシ。
【考案の詳細な説明】
【技術分野】
【０００１】
本考案は上下方向への歯磨きが容易にできる歯ブラシに関するものであり、より詳しくは歯ブラシ毛が植毛されたブラシ体を歯ブラシ柄と“Ｔ”字形になるよう交着成形して、上下方向への歯磨きを容易にできるようにした、Ｔ字形歯ブラシに関するものである。 
【背景技術】
【０００２】
一般に、従来の歯ブラシは歯ブラシ毛が植毛されたブラシ体の短辺に歯ブラシの柄が付着された一字形の構造であり、左右方向への歯磨きは自由にできるが上下方向への歯磨きは不自然になり、歯磨きをする動きはほとんど左右方向へ偏る傾向があった。
しかし、このような左右方向への歯磨きは歯の模様きめと相反した方向であるため、歯の損傷を誘発し得、また歯と歯の間にはさまれている異物質がきれいに除去されず殘っている場合が多く、虫歯や歯周炎等を誘発し得る問題点があった。
また、従来の歯ブラシは肱を歯の高さに上げた状態で歯を磨かなければならない爲子供や老弱者たちに相当な不便を招く問題点があった。
【考案の開示】
【考案が解決しようとする課題】
【０００３】
本考案は上記の樣な問題点を解決するもので、歯ブラシ柄が解決するのもので、、先端が湾曲した歯ブラシ柄（１）の該先端に歯ブラシ毛が植毛された歯ブラシ体を歯ブラシ面が歯ブラシ柄と平行になるように“Ｔ”字形に交着成形することにより歯のきめ方向と同じ上下方向への歯磨きを容易にし歯の損傷を防止し、併せて子供や老弱者たちが容易に歯磨きができるようにした上下歯磨きの容易な“Ｔ”字形歯ブラシを提供することが目的である。
【課題を解決するための手段】
【０００４】
上記課題を解決するための手段としては、先端が湾曲した歯ブラシ柄（１）の該先端に、歯ブラシ毛（２）が植毛されたブラシ体（３）を、歯ブラシ面（４）が歯ブラシ柄（１）と“Ｔ”字形になるように交着成形してなることを特徴とする上下歯磨きが容易にできるＴ字形歯ブラシを用いることである。
【考案の効果】
【０００５】
本考案は歯ブラシ柄を歯ブラシ毛が植毛されたブラシ体と“Ｔ”字形になるように交着成形することによって、歯を磨く時歯の模樣きめと同じ方向の上下方向への歯磨きをより容易にし、歯の損傷を最大限防止でき、また歯と歯の間のすきまの異物質を容易に除去できるようにするため、虫歯や歯周炎を予防し常にきれいな歯を維持することができ、また従来のように肱を上げなくても容易に歯を磨くことができるため子供や老弱者も容易に歯を磨くことができるという效果を奏する。
【考案を実施するための最良の形態】
【０００６】
以下本考案を添付図面の実施例により詳細に説明すると次の様になる。
図１は、本歯ブラシの全体を表した全体斜視図、図２は本考案の柄部を一部切断した側面図であり、本考案の構成を調べてみると、先端が湾曲した歯ブラシ柄（１）のその先端に、歯ブラシ毛（２）が植毛されたブラシ体（３）を歯ブラシ面（４）が歯ブラシ柄（１）と平行になるように“Ｔ”字形に交着成形されてなることを特徴とする。
図面中未説明符号５は歯である。
【０００７】
この樣になる本考案は歯ブラシ柄（１）を歯ブラシ毛（２）が植毛されたブラシ体（３）と“Ｔ”字形になるように交着成形したもので使用による実施例をより詳細に説明すると 次の様である。
本考案の歯ブラシで歯を磨く時は歯ブラシ柄（１）を取ってこれと“Ｔ”字形に交着成形したブラシ体（３）の歯ブラシ面（４）が歯（５）と横に接触するようにし、上下に歯磨きを行うことができるようになるが、本考案の歯ブラシはブラシ体（３）と交着成形された歯ブラシ柄（１）の上部が湾曲しており、且つ歯ブラシ柄（１）が歯ブラシ表面（４）と平行に成形してあるので歯を磨く時歯ブラシ柄（３）が唇や顎にあたることがなく自然に歯を磨くことができる。
【０００８】
又歯ブラシ柄（１）を中心に左右に歯ブラシ面（４）が突出しているので奥歯の外部側にも接触が容易であるため楽に歯を磨くことができる。
それに歯（５）の内側を磨く時も口を開け歯ブラシ面（４）が歯（５）と横に接触するようにした状態で上記のような方法で上下に歯を磨くことによって歯（５）の内部をもれなく磨くことができる。
従って、本考案の歯ブラシで歯を磨くと歯（５）のきめと同一方向へ歯磨きが自然になされるため歯（５）の損傷を最大限防止でき、また歯（５）の間の異物質が容易に除去されるため常にきれいな歯（５）を維持でき従来のように肱を上げなくても容易に歯磨きができるため子供や老弱者も容易に歯を磨くことができる。
【図面の簡単な説明】
【０００９】
【図１】本考案の歯ブラシの全体を表す斜視図
【図２】本考案の歯ブラシ柄を一部切断した断面図
【符号の説明】
【００１０】
１．歯ブラシ柄
２．歯ブラシ毛
３．ブラシ体
４．歯ブラシ面
５．歯
【図１】
0003110471.tif 000003
【図２】
0003110471.tif 000004
(57)【要約】      （修正有）【課題】腹部周りにゴムで押さえられた時の段差が出来ない下着を提供する。【解決手段】ウエスト周りに身頃生地より少しストレッチ性の強い巾8.0ｃｍ以上の附属素材を後ろ下がりに付ける事により、腹部の圧迫感が緩和され、無理なくシルエットを整える事が出来る女性用下着となった。【選択図】図３
0003110436.tif 000002
【実用新案登録請求の範囲】
【請求項１】
ウエストに巾8.0ｃｍ〜15.0ｃｍを有する帯状の伸縮性付属素材を、前身頃側は上限をウエストラインとし、後ろ身頃側は、ウエストラインより下げて付けたボトム類の女性用下着。
【請求項２】
ウエストに使用する附属素材は、オペロン、ナイロン、ポリエステル、ポリウレタン、ゴム等の伸びる繊維を混紡したレース状の物、又は編み物、織物であり、身頃素材も伸縮性生地ではあるが、ウエスト用附属より伸縮性がソフトであることを条件とする編み物、織物である請求項１に記載の女性用下着。
【考案の詳細な説明】
【技術分野】
【０００１】
本考案は、巾の広い伸縮性素材を後ろ下がりに付けることにより、前腹部の際立っ
て膨出した部分を締めつけることなく押え、自然なシルエットに整えるボトム類の女
性用下着に関するものである。
【背景技術】
【０００２】
ショーツ丈には、ビキニ、ノーマル、ハイウエストなど、種類にもいろいろあるが
、ほとんどはデザイン性を重視した物が多く消費者の目もそれに目を奪われやすいのが現状である。しかし、前腹部が膨出してくると少しの丈の違いやウエストゴムの巾、伸縮度合いなどがどのように影響するかデザイン性と共に重要になってくる。本来、腹部補整下着としては、ガードルを使用するのが一般的である。ガードルは強弱の伸縮性素材をいろいろな角度から交差させ、全体をしっかり押さえるが、ヒップ全体を強い伸縮性で押さえると窮屈で、長時間使用するには無理がある。近頃では、全体的にソフトなタッチの伸縮性素材を使用したソフトガードルも出てきている。それらは、前腹部の中央に非伸縮性素材を部分的に使い、膨出した腹部を押さえるように考慮されたものだが、いずれも腹部周りは全体を漠然と押さえるだけでウエストは細いゴム巾で仕上がっている事が多い。前腹部が膨出している場合、ウエストゴムが細いとどのような丈であっても腹部に段差を作ってしまい、余計腹部の膨出を目立たせてしまう。
【考案の開示】
【考案が解決しようとする課題】
【０００３】
ウエストゴムは、本来ショーツがずれ落ちる事を防ぐ為のものではあるが、現在市
販されているショーツは、ヘム仕様よりレース状ゴムや配色など装飾性を生かしたタタキ付け仕様の方が多く出回っている。そのほとんどは、巾が8.0ｃｍ未満で、伸縮の強弱と位置との関係が十分考慮されていない。ゴム巾が細いほど押さえられるラインを際立たせるもので、腹部の位置や引っ張られる方向によってはゴム巾が広目でも折れたり、丸まったりしてゴムの巾が生かされない。本考案は、少なくとも8.0ｃｍ以上の帯状のウエスト用附属を後ろ下がりに付けることにより、体型上最も目立つ前腹部の体型補整機能を付与した女性用下着を提供する事を目的とするものである。
【課題を解決するための手段】
【０００４】
本考案はウエスト用附属素材の方が身頃生地より伸縮性が強い事を条件とし、少なくとも8.0ｃｍ以上の巾を有する帯状の附属性素材をウエストに用いている。その附属を後ろ下がりに付ける方法により、腹部に圧迫感を与えずに前腹部の最も膨出している部分のみを的確に押さえることを目的とした。その結果締め付けられるような苦しさも無く、長時間の着用も可能になった。
【考案の効果】
【０００５】
特に本考案は腹部前方の一番膨出している部分のみを押さえて無理なく体型を補整する事が出来る。そして、ウエスト附属全周を水平にもって来たものに比べ、後ろ附属付け位置を下げる事により、その効果をより得られるようになると共に、安定感を持ってボディーフィットし、前かがみになった時でもアウターよりはみだして露出する心配がなくなるように考案された下着である。そして、何よりも良い点は、このショーツを着用すれば全てのガードルをより効果的に利用できる事である。
【考案を実施するための最良の形態】
【０００６】
本考案は特に女性下着に限定されるものではなく、腹部前方の体型補整機能を付与したいパンツ類であればどのような用途の物であっても適用可能である。女性用日常使いのショーツはもちろんのこと、素材を水切れの良いメッシュタイプにすれば水着用のガードルとなり、吸湿発汗素材を使用するとスポーツ用アンダーショーツとなります。男性用下着に適用させる場合は身頃生地とのバランスを考慮に入れ、ウエスト用附属をレース以外のフラットなものに置き換えれば良いと考えます。
【産業上の利用可能性】
【０００７】
本考案はウエストに帯状伸縮性附属が用いられた体型補整機能を有する女性下着に関するものである。身頃生地の適正を考慮することにより、ショーツやガードルの他、水着用ガードルなど特に身体のプロポーションを美しく見せるための物に有効である。
【図面の簡単な説明】
【０００８】
【図１】女性用ショーツの一例の正面図
【図２】女性ショーツ
【図１】の背面図
【図３】女性ショーツ
【図１】の左側面図
【符号の説明】
【０００９】
１  前ウエストゴム
２  ウエストゴム巾
３  ウエストゴム後ろ中心位置
４  後ろ下がり分
５  後ろ中心ウエストゴム付け位置
６  後ろ中心はぎ目
７  脇はぎ目
【図１】
0003110436.tif 000003
【図２】
0003110436.tif 000004
【図３】
0003110436.tif 000005
(57)【要約】      （修正有）【課題】パン焼成用の天板を簡単な手段により、強固で、変形のしない天板を得るところにある。【解決手段】天板１のフランジ３を、補強鉄芯５を内包するように折り曲げ、その折り曲げ先端面４と、天板１の側板とを所望数だけ点溶接７したパン焼成用天板からなる。【選択図】図２
0003110498.tif 000002
【実用新案登録請求の範囲】
【請求項１】
天板のフランジを、補強鉄芯を内包するように折り曲げ、その折り曲げ先端面と天板の側板とを所望数だけ点溶接したパン焼成用天板。
【考案の詳細な説明】
【技術分野】
【０００１】
本考案は、製パン工場においてパンの焼成をする際に使用する天板の改良に関する。
【背景技術】
【０００２】
従来製パン工場において、大量のパンを連続的に製造する際には多数の天板を使用し、これをコンベヤー等に乗せてオーブンに運び、パンの焼成を行うが、その際にはパン生地を所望の形状に成形して各天板上に必要数を整列配置し、ベーキングオーブンに導く。
【０００３】
図１に示す天板１は通常の天板であり、その底板２は平坦なものもあれば、所望のパンの形に応じた形状の凹部を多数形成したものもある。
【０００４】
図１の天板１のＡ−Ａ断面を、図４および図５が示しているが、従来はフランジ３は補強鉄芯５を外側から囲むように折り曲げ、フランジ３の先端面４は単に折り曲げたままにしている。
【０００５】
そのために、天板１を多数連続的にコンベヤー等に順次配列するとき、天板１同士が衝突したり、コンベヤー等との衝撃等によりフランジ３の先端面４が剥離したり、図６に点線で示すように、フランジ３が全体として湾曲し、変形してしまう欠点があった。
【０００６】
図４は天板１を製造した段階の状態を示しているが、その天板１を長期間使用すると、天板１同士が衝突したり、図５に示すように、折り曲げたフランジ３の先端面４が矢印Ｐで示すように下方に垂れ下がり、補強鉄芯から外れることになる。
【０００７】
そのようになると、折り曲げたフランジ３の先端面４内に溜まっていた錆やごみが外に出て周囲を汚し、場合によってはパンに混入することもある。
【０００８】
またさらには、図６に示すように、天板１を長期間使用すると、フランジ３の先端面４が補強鉄芯から離れてフランジの強度が弱くなり、それまでのフランジ３が点線３′で示すように横方向に広がるように変形し、取り扱いにくくなり、天板１同士の整列がうまくいかなくなるという欠点があった。
【０００９】
従来、パン焼成用の天板の改良については次に示す特許文献があるが、本考案が目的とするような配慮をしたものは見当たらない。
【特許文献１】特開２０００−３５６３５４
【考案の開示】
【考案が解決しようとする課題】
【００１０】
本考案は、パン焼成用の天板を簡単な手段により、強固で変形のしない天板を得るところにある。
【課題を解決するための手段】
【００１１】
本考案は、天板のフランジを、補強鉄芯を内包するように折り曲げ、その折り曲げ先端面と天板の側板とを所望数だけ点溶接したパン焼成用天板からなる。
【考案の効果】
【００１２】
本考案は、簡単な手段、即ち天板の側板と、フランジの先端面とを数個所点溶接するだけで、フランジ内に溜まった錆やごみのとび出しを防止すると共に、使用によるフランジの湾曲等の変形を防止することができる。
【考案を実施するための最良の形態】
【００１３】
本考案は、前述のごとき従来の欠点を改善するためになしたものである。つまり従来は、図４に示すように天板１のフランジ３を、補強鉄芯５を内包するように折り曲げて、そのフランジ３の先端面４を天板１の側板６の付近に単に位置させただけの状態で天板１を使用している。
【００１４】
その結果、図５に示すように、フランジ３の先端面４が矢印Ｐ方向に下がり、その中にあった錆やごみが外に放出されて非衛生的であると共に、パンに混入するおそれがあった。
【００１５】
またそれだけでなく、どうしてもフランジ３の先端面４による補強鉄芯５を捕捉する力が弱くなるために、図６に誇張して点線で示すように、直線状であったフランジ３は点線３′で示すように湾曲し、変形し、取り扱いにくくなる欠点があった。
図１は天板１の表側を示し、図２はその裏側を示すと共に、図３は図２のＢ−Ｂ線による断面を示している。
【００１６】
本考案は、図３に示すように、フランジ３の先端面４が補強鉄芯５を包み込むように曲げた状態とし、その先端面４と、天板１の側板６とを点溶接７する。その点溶接７の個所と数は使用する天板の大きさや強度等により決定するが、天板１の裏面を示す図２では、フランジ３の両横に各２個所、上下の面に各３個所点溶接７をしている。
【００１７】
このように、単にフランジの先端面４と、天板１の側板６と数個所点溶接７するだけで、フランジ３内の錆やごみが外に出ることを防止することができるだけでなく、洗浄水が点溶接以外の部分から外に自然に逃げ、錆の発生を防止することができる。
【００１８】
またさらに大きい効果として、図６に点線で示すようなフランジ３の変形を防止することもできるという効果もあることが判明した。
【００１９】
本考案で使用する天板は一般には鋼板を使用するがそれに限定されない。また図１、図２では使用する天板の底板を平坦な面で示したが、パンの形状を考慮した形状の凹部を多数設けるようにしてもよい。
【図面の簡単な説明】
【００２０】
【図１】本考案で使用する天板の表側を示す斜視図である。
【図２】本考案で使用する天板の裏側を示す斜視図である。
【図３】図２のＢ−Ｂ断面図である。
【図４】図１のＡ−Ａ断面図（従来の）である。
【図５】図１のＡ−Ａ断面図（従来の）であって、その使用後の状態を示す。
【図６】従来の天板の平面図であって、使用後の状態を誇張して示す。
【符号の説明】
【００２１】
１    天板
２    底板
３    フランジ
４    フランジの先端面
５    補強鉄芯
６    天板の側板
７    点溶接
【図１】
0003110498.tif 000003
【図２】
0003110498.tif 000004
【図３】
0003110498.tif 000005
【図４】
0003110498.tif 000006
【図５】
0003110498.tif 000007
【図６】
0003110498.tif 000008
(57)【要約】      （修正有）【課題】外付けストロボの筐体を軽量化し、同時に小型化を実現できしかも長時間のストロボの使用でもスペアの扁平電池をストロボと一体的に携帯できるスペア扁平電池付きストロボを提供するものである。【解決手段】ストロボ１の前面又は背面若しくは側面に凹所５またはフック構造を採用し、これにスペアの扁平電池６を収納または引っ掛け、此によってスペアの電池もストロボと一緒に携帯出来るようになるスペア扁平電池付きストロボ。【選択図】図１
0003110490.tif 000002
【実用新案登録請求の範囲】
【請求項１】
カメラに機械的及び電気的に結合され、カメラの操作に連動してフラッシュをする所謂外付けストロボにおいて、該ストロボの発光部の頭部に構成した第１の扁平電池の収納部と、該収納部に収納され前記ストロボの外観と一体的に構成されストロボ本体の発光回路に給電する第１の扁平な電池と、該電池のスペアーとなる第２の扁平電池と、該電池を収納する収納部所とからなるスペア扁平電池付きストロボ。
【請求項２】
前記第１及び第２の扁平電池は二次電池でなる請求項１記載のスペア扁平電池付きストロボ。
【請求項３】
前記第１及び第２の扁平電池の収納部は凹陥形状に構成してなる請求項１記載のスペア扁平電池付きストロボ。
【請求項４】
前記第１及び第２の扁平電池のいずれか一方の扁平電池の収納部は凹陥形状に構成してなる請求項１記載のスペア扁平電池付きストロボ。
【請求項５】
前記第２の扁平電池の収納部所はストロボ本体の筐体の前面又は背面或いは側面の適宜な箇所に形成した請求項１記載のスペア扁平電池付きストロボ。
【請求項６】
前記第１及び第２の扁平電池はリチュウムー二次電池からなる請求項１記載のスペア扁平電池付きストロボ。
【考案の詳細な説明】
【技術分野】
【０００１】
この考案は、例えばデジタルカメラに連動する所謂外付けストロボに係わり、該ストロボに充電可能なスペアの扁平電池を着脱自在に取り付けるようにしたスペア扁平電池付きストロボに関する。   
【背景技術】
【０００２】
一般に例えばデジタルカメラに機械的及び電気的に結合され、カメラの操作に連動してフラッシュを行う所謂外付けのストロボは、内部に円筒形の充電可能な二次電池を収納している。その為に電池収納箇所が内部で広い空間を必要とし、ストロボの全体的構造が大きくなる原因になっている。従って、ストロボの全体としての構造を小さくするには扁平な電池が好ましいのだが、扁平な二次電池例えばリチューム二次電池は長時間のストロボの使用に必ずしも十分で無いため、スペアの電池が必要になる。このスペアの電池をストロボと別に携帯するには面倒であるために簡便な携帯手段が望まれている。
【特許文献１】特開平５−９４７５０号公報
【考案の開示】
【考案が解決しようとする課題】
【０００３】
従って、この考案の課題は外付けストロボの筐体を軽量化し、同時に小型化を実現できしかも長時間のストロボの使用でもスペアの扁平電池をストロボと一体的に携帯できるスペア扁平電池付きストロボを提供するものである。
【課題を解決するための手段】
【０００４】
上記の課題を解決するためにストロボの前面又は背面若しくは側面に凹所またはフック構造を採用し、これにスペアの扁平電池を収納または引っ掛け、此によってスペアの電池もストロボと一緒に携帯出来るようになるスペア扁平電池付きストロボが提供出来るものである。
【考案の効果】
【０００５】
請求項１〜６によれば扁平な電池に着目し実際に稼働する電池以外に別の扁平な電池をスペアとしてストロボの筐体の前面又は背面もしくは側面に取り付けて利用するから携帯に便利で、しかも長時間のストロボの使用が可能になり重量も重くなることがない効果がある。
【考案を実施するための最良の形態】
【０００６】
（実施形態１）
以下この考案の実施例を図面１に基づいて説明する。図１の１は所謂外付けのストロボ本体で、このストロボ本体１の内部には発光部２からカメラに連動して発光できる機能が収納されている通常の構造のストロボである。前記発光部２の頭部３には凹所が形成してあってこの凹所には扁平な扁平電池４が収納出来るようにしてある。
【０００７】
この扁平電池４は充電可能な電池で最近のデジタル機器例えば携帯電話又はデジタルカメラ等に採用されている電池が利用できる。これらのデジタル機器に利用され二次電池は殆ど扁平であり、これを前記頭部に配置することで従来の円筒形電池の収納に対する内部の空間を小さくできる。勿論扁平電池故にストロボ本体１の高さ方向が高くなることはない。
【０００８】
前記の扁平電池４は厚さ約６〜７mm程度であるから全く頭部３が高くなることはなく、その上、軽量であるから実用上、重くて腕に負担がかかることも無いなどの効果がある。前記ストロボ本体１の下側前面部には凹所を形成し、この凹所５にはスペアの扁平な電池６が挿入される。この電池６は前記凹所５に緊密に挿入出来るように両者の寸法を定めていて、容易に凹所５から電池６が脱落しないようになっている。
【０００９】
前記の頭部３の扁平電池４がストロボの使用で放電してしまったら、前記スペアの扁平電池６をストロボ１の前面から取り出し、頭部の扁平電池４と交換すれば再びストロボが使用出来るようになるものである。勿論スペアの扁平電池６は予め充電しておくことは勿論である。
尚上記の実施態様では前記頭部３に凹所を構成したが、凹所の構造を採用せずに単に扁平電池４を横からスライドさせる構造で取り付けるものであっても良いし、同様にスペアの扁平電池も凹所を構成せずにスライドするような構造であってもよい。またスペアの扁平電池はストロボの前面でなく側面、背面いずれでも実現出来るものである。
【図面の簡単な説明】
【００１０】
【図１】この考案に係わる扁平電池付きストロボの分解斜視図。
【符号の説明】
【００１１】
１ ストロボ本体
２ 発光部
３ 頭部
４ 扁平電池
５ 凹所
６ スペア扁平電池
【図１】
0003110490.tif 000003
(57)【要約】【課題】  この考案の課題は外付けストロボの筐体を軽量化し、同時に小型化を実現できる扁平電池付きストロボを提供するものである。【解決手段】  外付けストロボの頭部に凹所を構成し、これに編平な電池を着脱構造で挿入配置することによってストロボの発光に対する十分な電力を確保でき、しかもストロボ自体を小型にでき軽量化も期待できる扁平電池付きストロボが提供出来るものである。【選択図】  図１
0003110489.tif 000002
【実用新案登録請求の範囲】
【請求項１】
カメラに機械的及び電気的に結合され、カメラの操作に連動してフラッシュをする所謂外付けストロボにおいて、該ストロボの発光部の頭部に構成した扁平電池の収納部と、該収納部に収納され前記ストロボの外観と一体的に構成されストロボ本体の発光回路に給電する扁平な電池とからなる扁平電池付きストロボ。
【請求項２】
前記扁平電池は二次電池からなる請求項１記載の扁平電池付きストロボ。
【請求項３】
前記扁平電池の収納部は凹陥形状に構成してなる請求項１記載の扁平電池付きストロボ。
【考案の詳細な説明】
【技術分野】
【０００１】
この考案は、所謂外付けストロボに係わり、該ストロボに充電可能な扁平電池を着脱自在に取り付けるようにした扁平電池付きストロボに関する。   
【背景技術】
【０００２】
一般にカメラに機械的及び電気的に結合され、カメラの操作に連動してフラッシュを行う所謂外付けのストロボは、内部に円筒形の充電可能な二次電池を収納している。その為に電池収納箇所が内部で広い空間を必要とし、ストロボの全体的構造が大きくなる原因になっている。
従って、ストロボの全体構造を小さくするネックになっていて、ストロボの小型化と軽量化が早急に望まれている。
【特許文献１】特開平５−９４７５０号公報
【考案の開示】
【考案が解決しようとする課題】
【０００３】
従って、この考案の課題は外付けストロボの筐体を軽量化し、同時に小型化を実現できる扁平電池付きストロボを提供するものである。
【課題を解決するための手段】
【０００４】
上記の課題を解決するために外付けストロボの頭部に凹所を構成し、これに編平な電池を着脱構造で挿入配置することによってストロボの発光に対する十分な電力を確保でき、しかもストロボ自体を小型にでき軽量化も期待できる扁平電池付きストロボが提供出来るものである。
【考案の効果】
【０００５】
請求項１〜３によれば電池で占める空間を小さくでき、従って小型化が実現でき、同時に軽量化も計れるものである。加えて軽量化ができるので長時間の使用で腕が疲れることもないものである。
【考案を実施するための最良の形態】
【０００６】
（実施形態１）
以下この考案の実施例を図面１に基づいて説明する。図１の１は所謂外付けのストロボ本体で、このストロボ本体１の内部には発光部２からカメラに連動して発光できる機能が収納されている通常の構造のストロボである。前記発光部２の頭部３には凹所４が形成してあってこの凹所４には扁平な扁平電池５が収納出来るようにしてある。
【０００７】
この扁平電池５は充電可能な電池で最近のデジタル機器例えば携帯電話又はデジタルカメラ等に採用されている電池が利用できる。これらのデジタル機器に利用され二次電池は殆ど扁平であり、これを前記頭部に配置することで従来の円筒形電池の収納に対する内部の空間を小さくできる。勿論扁平電池故にストロボ本体１の高さ方向が高くなることはない。
【０００８】
前記の扁平電池５は厚さ約６〜７mm程度であるから全く頭部３が高くなることはなく、その上、軽量であるから実用上、重くて腕に負担がかかることも無いなどの効果がある。    
尚上記の実施態様では前記頭部３に凹所を構成したが、凹所の構造を採用せずに単に扁平電池５を横からスライドさせる構造で取り付けるものであっても良いものである。
【図面の簡単な説明】
【０００９】
【図１】この考案に係わる扁平電池付きストロボの分解斜視図。
【符号の説明】
【００１０】
１ ストロボ本体
２ 発光部
３ 頭部
４ 凹所
５ 扁平電池
【図１】
0003110489.tif 000003
(57)【要約】      （修正有）【課題】野菜等の皮をむくとき、皮ゴミが散乱して後片付けに困まらない皮むき具を提供する。【解決手段】収納スペースを付ける事で、野菜等の皮ゴミを収納して一掃することを可能にした収納スペース付き皮むき具である。グリップを持ち、摘み部を摘み上に上げると皮ゴミを収納するスペースができる状態になる。それから、蓋を閉め、刃部で皮をむくと皮ゴミを収納することができる。次に、皮ゴミが増えたらボタン部を押して、蓋部を開いて皮ゴミを一掃することができる。【選択図】図３
0003110488.tif 000002
【実用新案登録請求の範囲】
【請求項１】
収納スペースを付ける事で、野菜等の皮ゴミを収納して一掃することができる皮むき具である。
【考案の詳細な説明】
【技術分野】
【０００１】
本考案は、収納スペースを付ける事で、野菜等の皮ゴミを一掃することができる。また、本考案は皮ゴミを収納して一掃することを前提にしているので、収納スペースを伸縮できる形態になっている。
【背景技術】
【０００２】
従来の皮むき具は、皮ゴミを収納して一掃することができなかった。
【０００３】
しかし、本考案は、収納スペースを付ける事で、野菜等の皮ゴミを収納して一掃することを可能にした。
【特許文献１】特開２００５−００００００号公報
【非特許文献１】特許出版  ２００５年
【考案の開示】
【考案が解決しようとする課題】
【０００４】
従来の皮むき具は、野菜等の皮をむくと皮ゴミが散乱して後片付けに困っていた。この課題を解消するためになされたものである。
【課題を解決するための手段】
【０００５】
本考案は、収納スペースを付ける事で、野菜等の皮ゴミを収納して一掃することを可能にした。収納スペース付き皮むき具である。それを図面で説明すれば、図１―１グリップを持ち、図１―２摘み部を摘み上に上げると図２―３皮ゴミを収納するスペースができる状態になる。それから、図２―４蓋を閉め、図２―５刃部で皮をむくと皮ゴミを図２―３に収納することができる。次に、皮ゴミが増えたら図３―６ボタン部を押して、図３―４蓋部を開いて皮ゴミを一掃することができる。
【考案の効果】
【０００６】
このようにすれば、野菜等の皮ゴミが散乱して後片付けに困ることもなく、効率的かつスピーディーに皮ゴミの処理することができる。
【考案を実施するための最良の形態】
【０００７】
本考案は、収納スペースを付ける事で、野菜等の皮ゴミを収納して一掃することができる。それを図面で説明すれば図２―３収納スペースを備え取付けたものである。
【産業上の利用可能性】
【０００８】
簡易なものを作製して使用してみた結果、便利であったので産業上の利用可能性は高いと考えている。
【図面の簡単な説明】
【０００９】
【図１】通常時の側面図
【図２】使用時の正面図
【図３】使用時の側面図
【符号の説明】
【００１０】
１    グリップ
２    摘み部
３    収納スペース
４    蓋部
５    刃部
６    ボタン部
【図１】
0003110488.tif 000003
【図２】
0003110488.tif 000004
【図３】
0003110488.tif 000005
(57)【要約】      （修正有）【課題】主に近視用のメガネ本体に安定的かつ装着自在に固定出来、近視矯正の用に供することが出来る簡易な補助レンズを提供する。【構成】左右一対の補助レンズ１と、前記補助レンズ１，１の上縁間を一体的に連絡するブリッジ板２と、前記ブリッジ板２の中央部に枢支されたバネ性を有するＵ字形断面のクリップ４とからなり、前記クリップ４によりメガネ本体８のブリッジ部９を弾性的に挟み込み、補助レンズ１をメガネ本体８のレンズ１０に当てがう様に取り付ける様にした。【選択図】図２
0003110411.tif 000002
【実用新案登録請求の範囲】
【請求項１】
左右一対の補助レンズ１と、前記補助レンズ１，１の上縁間を一体的に連絡するブリッジ板２と、前記ブリッジ板２の中央部に枢支されたバネ性を有するＵ字形断面のクリップ４とからなり、前記クリップ４によりメガネ本体８のブリッジ部９を弾性的に挟み込み、補助レンズ１をメガネ本体８のレンズ１０に当てがう様に取り付けることを特徴としたメガネ用補助レンズ。
【請求項２】
クリップ４がバネ性を有する合成樹脂成形品であることを特徴とする請求項１記載のメガネ用補助レンズ。
【考案の詳細な説明】
【技術分野】
【０００１】
この考案は光学製品、詳しくは、メガネ本体に着脱自在に取付けて、視力矯正の用に供する簡易なメガネ用補助レンズに関するものである。
【背景技術】
【０００２】
近視用メガネを常用している者も、加齢と共に近くの細かい文字が見えにくくなることは避けられず、遠近両用メガネを用いたり、近くを見るときは近視用メガネをはずして肉眼で見る様にするなどして対処している。
【特許文献１】なし
【非特許文献１】なし
【考案の開示】
【考案が解決しようとする課題】
【０００３】
しかしながら、遠近両用メガネは高価であると共に、使いこなすにはある程度の慣れが必要であり、又、近くを見るときにいちいち近視用メガネをはずすのは大変面倒であり、近視と老視が同時に発生している者は、日常生活において大変な不便を強いられていた。
【０００４】
この為、常用中の近視用のメガネ本体に着脱自在に取付けることにより、メガネ本体レンズの屈折率を変化させ、近くを見えやすくする簡易な補助レンズが提案され、その一部は市販されている。しかしながら、従来の製品は、メガネ本体への固定が不安定であり、使い勝手が良くないといった問題点があり、必ずしも満足できるものではなかった。
【０００５】
本考案者は、主に近視用のメガネ本体に安定的かつ着脱自在に固定出来、視力矯正の用に供することが出来る簡易な補助レンズを提供すべく研究を行った結果、今回新たなメガネ用補助レンズを開発することに成功し、本考案としてここに提案するものである。
【課題を解決するための手段】
【０００６】
左右一対の補助レンズ１と、前記補助レンズ１，１の上縁間を一体的に連絡するブリッジ板２と、前記ブリッジ板２の中央部に枢支されたバネ性を有するＵ字形断面のクリップ４とからなり、前記クリップ４によりメガネ本体８のブリッジ部９を弾性的に挟み込み、補助レンズ１をメガネ本体８のレンズ１０に当てがう様に取り付けることにより、上記課題を解決した。
【実施例】
【０００７】
図１はこの考案に係るメガネ用補助レンズの一実施例の斜視図であり、図中１は補助レンズであり、左右一対設けられており、その上縁がブリッジ板２によって連結されている。この実施例においては、補助レンズ１，１とブリッジ板２は透明なプラスチックにより一体成形されている。
【０００８】
そして、このブリッジ板２の中央には上方に向かって立ち上がったクリップ支持片３が一体的に形成されており、このクリップ支持片３にＵ字形断面をしたバネ性を有するクリップ４が枢支軸５によって内側に付勢された状態で枢支されている。なお、図中６はクリップ４の外側に設けられたつまみ片である。なお、この実施例においてはクリップ４はバネ性を有する合成樹脂成形品によって構成されている。
【０００９】
この実施例は上述の通りの構成を有するものであり、クリップ４のつまみ片６とクリップ支持片３の端部７とを指で摘んでクリップ４を外側に押し拡げ、この状態で図２及び図３に示す様に、メガネ本体８のレンズ１０に補助レンズ１を当てがう様にし、クリップ支持片３とクリップ４の内側とでメガネ本体８のブリッジ部９を弾性的に挟持し、補助レンズ１をメガネ本体８のレンズ１０に当接させてメガネ本体８への取付けを行う。このとき、クリップ４とクリップ支持片３とがメガネ本体８のブリッジ部９を弾性的に挟持しているので、このメガネ用補助レンズはメガネ本体８に安定的に固定され、装用中にその位置がずれたり、脱落することはほとんどない。又、弾性的に挟持しているので、その固定位置を自由に変更することが可能で、より見やすい位置に補助レンズ１を移動させることも出来る。又、メガネ本体８からの取りはずしも極めて容易で、必要に応じて手軽にメガネ本体８への取付け及び取りはずしを行うことが可能であり、近視用メガネを装用している中高年の日常生活にとって極めて大きい利便性がもたらされる。
【図面の簡単な説明】
【００１０】
【図１】この考案に係るメガネ用補助レンズの一実施例の斜視図。
【図２】同じく、メガネ本体８に装着した状態の斜視図。
【図３】同じく、その側面図。
【符号の説明】
【００１１】
１    補助レンズ
２    ブリッジ板
３    クリップ支持片
４    クリップ
５    枢支軸
６    つまみ片
７    端部
８    メガネ本体
９    ブリッジ部
１０    レンズ
【図１】
0003110411.tif 000003
【図２】
0003110411.tif 000004
【図３】
0003110411.tif 000005
(57)【要約】      （修正有）【課題】縫いぐるみについて、単に部屋内の設置又は携帯に伴うデザイン的効果だけでなく、電気製品の出入力に必要な配線を、簡便な方法によって容易に結束できるような構成を提供する。【解決手段】動物の頭部を模擬した布製によるぬいぐるみ部分と、表面にて突起の配置によって、着剥ぎ自在の状態となっている帯状部分とを接続し、当該帯状部分においては、当該着剥ぎ自在による表面側と裏面側との接合によって螺旋状の巻着状態を形成し、当該螺旋状の巻着状態による隙間において、電気製品の配線を結束する配線結束用具。【選択図】図１
0003110418.tif 000002
【実用新案登録請求の範囲】
【請求項１】
動物の頭部を模擬した布製によるぬいぐるみ部分と、表面にて突起の配置によって、着剥ぎ自在の状態となっている帯状部分とを接続し、当該帯状部分においては、当該着剥ぎ自在による表面側と裏面側との接合によって螺旋状の巻着状態を形成し、当該螺旋状の巻着状態による隙間において、電気製品の配線を結束することを可能性としていることに基づく配線結束用具。
【請求項２】
頭部の下に、２本の脚部を突出させることを特徴とする請求項１記載の配線結束用具。
【請求項３】
螺旋状態の中心部位において、帯状の布が存在しない隙間領域を形成していることを特徴とする請求項１記載の配線結束用具。
【考案の詳細な説明】
【技術分野】
【０００１】
本考案は、動物（獣のみならず、魚等の水中生息物をも含む)による縫いぐるみ人形の頭部による装飾的効果に立脚したことによる電気製品の配線に対する結束用具に関するものである。
【背景技術】
【０００２】
従来縫いぐるみは、人形に準じた扱いが行われており、単に部屋内において静置するか精々ペットと同様に所持し、かつ携帯するという程度の利用しか行われていなかった。
【０００３】
即ち、縫いぐるみによるデザイン的な効果を維持しながら、他の機能をも発揮させるような使用方法は措して提唱されていない。
【０００４】
他方、パソコン等の電気製品を使用する場合には、当該電気製品における出入力を実現するために必要な様々な配線を必要とするが、これらの配線は個別に放置した場合には、室内の空間の有効な利用を行ううえで支障となる。
即ち、前記配線を結束することは、室内のスペースを有効に使用するうえで、不可欠であるが、当該配線の結束に際し、これまで装飾的効果を発揮させようという発想は存在しなかった。
【０００５】
【特許文献１】実用新案出願２００４−４１４２
【考案の開示】
【考案が解決しようとする課題】
【０００６】
本考案は、縫いぐるみ人形による装飾的効果を発揮しながら、電気製品における出入力を行うための配線を、簡便な法にて、結束することができる構成を提供することを課題としている。
【課題を解決するための手段】
【０００７】
前記課題を解決するため、本考案の構成は、動物の頭部を模擬した布製によるぬいぐるみ部分と、表面にて突起の配置によって、着剥ぎ自在の状態となっている帯状部分とを接続し、当該帯状部分においては、当該着剥ぎ自在による表面側と裏面側との接合によって螺旋状の巻着状態を形成し、当該螺旋状の巻着状態による隙間において、電気製品の配線を結束することを可能性としていることに基づく配線結束用具からなる。
【考案の効果】
【０００８】
前記解決手段の構成に基づき、一方では動物を模擬した布製の頭部による装飾的効果を発揮しながら、他方では、着剥ぎ自在の状態にある接合によって、配線を結束させるという簡単な仕組みによって、容易に配線の結束状態を実現することが可能となる。
【考案を実施するための最良の形態】
【０００９】
本考案は、図１に示すように動物の頭部１を模擬した布製による縫いぐるみ部分と、表面にて突起２１の配置によって着剥ぎ自在の状態となっている部分（いわゆる面ファスナー部分）を有している帯状の布の結合を基本構成としている。
図１においては、犬を模擬した縫いぐるみによる頭部１を採用しているが、模擬される対象の動物としては、犬に限らず、虎、猫、熊等の陸上の生息物、更にはアザラシ、魚などの水中生息物をも採用することができる。
実際の実施形態においては、図１に示すように、頭部１の下方に前脚を下側に突出した場合には、頭部１を安定した状態に維持することができ、好都合である。
帯状部分２は、頭部１の後方において、表面の突起２１と裏面とが相互に接合し合うことによって、螺旋状の巻着状態を形成しているが、使用者においては、図２（ａ）に示すように、棒状の変形しない状態の配線３を、螺旋状の巻着状態の隙間に突入させることによって結束するか、又は、図２（ｂ）に示すように、配線３を帯状部分の上に配置したうえで、その後螺旋状の巻着状態を形成することによって結束するかの何れかを選択することができる。
なお、帯状部分２としては、図３（ａ）に示すように、表面のみに突起２１を配置することによって着剥ぎ自在とする場合と、図３（ｂ）に示すように、表面及び裏面の双方に突起２１を配置することによって着剥ぎ自在とする場合との双方を採用することができる。
【実施例】
【００１０】
実施例においては、図４に示すように螺旋状態の中心部位において、帯状部分２が存在しない隙間領域を形成していることを特徴としている。
【００１１】
このような螺旋形状の中心部分に、隙間を形成することによって、多数の配線、又は太い配線を当該隙間中に結束させ、かつ、周囲の螺旋状態の布部分によって囲んだ状態とすることが可能となる。
【産業上の利用可能性】
【００１２】
本考案は、単にパソコン等電気製品の配線に対する結束用具だけでなく、その余の日常雑貨の細長形状の物体にも使用できるので、これらに関連する産業にも利用することができる。
【図面の簡単な説明】
【００１３】
【図１】本発明の実施形態を示す側面図
【図２】帯状部分によって、配線を結束する状態を示す上面図であって、（ａ）は、配線を螺旋状の巻着状態における隙間に突入させる場合を示しており、（ｂ）は、配線を帯状部分の上に配置した状態を示している。
【図３】帯状の布の構成を示す側面図であって（ａ）は、表面のみに突起を形成している場合を示しており、（ｂ）は、表面及び裏面に突起を配置している場合を示す。
【図４】実施例の状態を示す側面図である。
【符号の説明】
【００１４】
１：頭部
２：帯状部分
３：配線
２１：突起
【図１】
0003110418.tif 000003
【図２】
0003110418.tif 000004
【図３】
0003110418.tif 000005
【図４】
0003110418.tif 000006